(57)【要約】      （修正有）【課題】リアルタイム画像処理装置で証明写真などの写真を印刷出力する場合のコストを削減する。【解決手段】既存の画像供給源から供給される画像データを読み取って、所定の画像形成媒体上に当該画像データに対応する画像を形成するため、リアルタイムな画像処理を行うリアルタイム画像処理部を備えたリアルタイム画像処理装置において、被写体の画像を撮影し、その画像に応じた撮影画像データを出力するカメラ手段を備え、当該カメラ手段から出力された撮影画像データを、前記リアルタイム画像処理部で処理することにより、前記画像形成媒体上に被写体の写真を印刷して出力する。また、この構成において、前記リアルタイム画像処理部が、前記既存の画像供給源から供給された画像データに対応する画像に関するトリミングを行うためのトリミング処理部を備え、前記被写体の背景を表現する背景画像データを取り除くことも好ましい。【選択図】  図１
2005020260.tif 000002
【特許請求の範囲】
【請求項１】
既存の画像供給源から供給される画像データを読み取って、所定の画像形成媒体上に当該画像データに対応する画像を形成するため、リアルタイムな画像処理を行うリアルタイム画像処理部を備えたリアルタイム画像処理装置において、
被写体の画像を撮影し、その画像に応じた撮影画像データを出力するカメラ手段を備え、
当該カメラ手段から出力された撮影画像データを、前記リアルタイム画像処理部で処理することにより、前記画像形成媒体上に被写体の写真を印刷して出力することを特徴とするリアルタイム画像処理装置。
【請求項２】
既存の画像供給源から供給される画像データを読み取って、所定の画像形成媒体上に当該画像データに対応する画像を形成するため、リアルタイム画像処理部を用いてリアルタイムな画像処理を行うリアルタイム画像処理方法において、
カメラ手段で被写体の画像を撮影してその画像に応じた撮影画像データを出力し、
当該カメラ手段から出力された撮影画像データを、前記リアルタイム画像処理部で処理することにより、前記画像形成媒体上に被写体の写真を印刷して出力することを特徴とするリアルタイム画像処理方法。
【発明の詳細な説明】
【０００１】
【発明の属する技術分野】
本発明はリアルタイム画像処理装置および方法に関し、例えば、複写機などに既に搭載されている各種の機能を活用して、証明写真などの写真を印刷出力する場合などに適用して好適なものである。
【０００２】
【従来の技術】
従来のカメラ（ＣＣＤカメラ）を搭載した複写機としては、下記の特許文献１に記載された技術がある。
【０００３】
この特許文献１では、ＣＣＤカメラを搭載した複数の複写機がＬＡＮ（ローカルエリアネットワーク）を介して１つの認証サーバに接続されており、その認証サーバには予め、前記ＣＣＤカメラによる撮影で得た正当なユーザの顔の画像の特徴量とその複写機のＩＤをＬＡＮ経由で登録しておく。そして認証時には、ある複写機を利用しようとするユーザの顔を前記ＣＣＤカメラで撮影し、その画像の特徴量を、前記ＩＤとともに複写機から認証サーバに送信し、認証サーバでは、そのＩＤと特徴量をもとに認証を行い、認証結果が肯定的であったユーザのみが、その複写機を利用することができる。
【０００４】
なお、ＣＣＤカメラによる撮影で得られたユーザの顔の画像をＬＡＮ経由で送信するとき、前記複写機の内部では、ユーザの顔の画像信号に対し、増幅と、Ａ／Ｄ変換と、暗号化を施しているだけである（特許文献１の第７頁および図４参照）。
【０００５】
一方、従来から、専ら証明写真の作成のために利用される証明写真作成装置がある。この証明写真作成装置を用いれば、背景に不要なものが写っておらず、被写体だけが写った証明写真を手軽に得ることができる。
【０００６】
【特許文献１】
特開２００２−１３２７３３（第６−８頁、図３、図４）
【０００７】
【発明が解決しようとする課題】
ところが、上述した特許文献１の複写機では、ユーザ認証のためＣＣＤカメラによる撮影で得られたユーザの顔の画像（あるいは、その特徴量）をＩＤとともにＬＡＮ経由で送信するものの、ユーザの顔を紙に印刷して出力するものではないので、ユーザが前記ＣＣＤカメラで撮影した自分の写真を複写機に印刷出力させることはできない。したがって、特許文献１の技術を用いて証明写真を得ることも、当然、不可能である。
【０００８】
また、特許文献１の複写機では、前記増幅を行うための増幅器、Ａ／Ｄ変換を行うためのＡ／Ｄ変換部、暗号化を行うためのＣＰＵ以外の複写機の機能は活用しておらず、複写機のような処理のリアルタイム性が重視される情報処理装置特有の各種機能を有効に活用するものではない。
【０００９】
一方、上述した証明写真作成装置では、ユーザは証明写真を得ることができるが、証明写真作成装置は複写機の機能は持たないため、複写機の提供する複写機能（原稿の画像を読み取って所望の紙に印刷（複写）し出力する機能）を利用することができないことは当然である。
【００１０】
さらに、証明写真作成装置は処理に必ずしも高いリアルタイム性を求められる装置ではないため、撮影を行ってから印刷された証明写真が得られるまでに要する時間が長く、例えば、数分を要するのが普通である。もちろん、証明写真作成装置に、複写機と同程度の高機能な部品を利用すれば、複写機と同程度の高いリアルタイム性を実現でき、短時間で証明写真を得ることは可能であるが、その場合、証明写真を得るためだけにそのような高機能な部品を使うことになり、証明写真作成装置のコストアップなどの不利益をもたらす可能性が高い。
【００１１】
【課題を解決するための手段】
かかる課題を解決するために、第１の本発明では、既存の画像供給源（例えば、ＰＡ２など）から供給される画像データを読み取って、所定の画像形成媒体（例えば、ＰＡ１など）上に当該画像データに対応する画像を形成するため、リアルタイムな画像処理を行うリアルタイム画像処理部（例えば、１０，１２，１３，１４，ＯＳ１など）を備えたリアルタイム画像処理装置（例えば、３０など）において、被写体（例えば、Ｕ１など）の画像を撮影し、その画像に応じた撮影画像データを出力するカメラ手段（例えば、３５など）を備え、当該カメラ手段から出力された撮影画像データを、前記リアルタイム画像処理部で処理することにより、前記画像形成媒体上に被写体の写真を印刷して出力することを特徴とする。
【００１２】
また、第２の本発明では、既存の画像供給源から供給される画像データを読み取って、所定の画像形成媒体上に当該画像データに対応する画像を形成するため、リアルタイム画像処理部を用いてリアルタイムな画像処理を行うリアルタイム画像処理方法において、カメラ手段で被写体の画像を撮影してその画像に応じた撮影画像データを出力し、当該カメラ手段から出力された撮影画像データを、前記リアルタイム画像処理部で処理することにより、前記画像形成媒体上に被写体の写真を印刷して出力することを特徴とする。
【００１３】
これにより、本来は既存の画像供給源から供給される画像データを読み取って所定の画像形成媒体上に当該画像データに対応する画像を形成するためのリアルタイム画像処理部を活用して、新たな画像供給源である被写体の画像を画像形成媒体上に印刷し出力することができる。
【００１４】
【発明の実施の形態】
（Ａ）実施形態
以下、本発明にかかるリアルタイム画像処理装置および方法を、複写機に適用した場合を例に、実施形態について説明する。
【００１５】
（Ａ−１）実施形態の構成
本実施形態の複写機３０の外観構成例を図１に示す。この複写機３０は、カメラ装置３５を用いて撮影した証明写真を作成する機能（証明写真作成機能）を有すること以外、基本的に、通常の複写機と同様な機能を備えている。この複写機３５は、カメラ装置３５を搭載している点などでこれまでに存在しない複写機であるが、本来の複写機能のために必要な各種機能（各種資源）は、既存のいずれかの機種の複写機で使用されているものを、ほとんどそのまま利用する形で実現することができる。
【００１６】
図１において、当該複写機３０は、複写機本体３１と、オペパネ（オペレーションパネル）ユニット３２を備えている。
【００１７】
このうちオペパネユニット３２には、操作ボタン３３と、タッチパネル付きＬＣＤ（液晶表示装置）３４と、カメラ装置３５が設けられている。当該オペパネユニット３２は、これらの構成要素３３〜３５を保持した状態で、上下左右に自在に向きを変えられるように前記複写機本体３１に接続されている。
【００１８】
このような構造は、複写機３０を利用するユーザＵ１がカメラ装置３５で自身を撮影する前後に、前記ＬＣＤ３４や操作ボタン３３を操作する際の利便性に配慮したものであるが、もし必要ならば、オペパネユニット３２上に配置した機能の一部（例えば、カメラ装置３５）を、オペパネユニット３２以外の部分（例えば、複写機本体３１）に配置してもよい。
【００１９】
前記ＬＣＤ３４は、ユーザＵ１がカメラ装置３５による撮影で得た画像の内容などからなる出来上がりイメージを表示する機能も備える。ユーザＵ１は、当該出来上がりイメージを目視しながら、背景画像の削除などの編集を行うことができる。また、ＬＣＤ３４に表示される画面（図示せず）は、いわゆるＧＵＩ（グラフィカルユーザインタフェース）を構成するものであってよい。このＧＵＩは、ウインドウを表示する位置やウインドウのサイズを変更することができない等の制約はあるものの、基本的にはパーソナルコンピュータなどのＧＵＩと同じである。
【００２０】
タッチパネルとしてのＬＣＤ３４や、前記操作ボタン３３は、複写機３０の本来的な機能である複写機能を利用する際にユーザＵ１が操作するほか、カメラ装置３５を用いて撮影する前や後に操作する。撮影前の操作としては、例えば、撮影に関する各種設定（例えば、露出時間などの設定）を行うための操作をあげることができ、撮影後の操作としては、後述する画像編集のための操作をあげることができる。また、当該複写機３０の動作モードとして、前記複写機能を発揮するため本来の複写機として動作する複写機モードと、前記証明写真作成機能を発揮し証明写真の印刷出力のために動作する証明写真モードがあるものとすると、ユーザＵ１は撮影の前に、前記ＬＣＤ３４や操作ボタン３３の操作により、動作モードを、複写機モードから証明写真モードに切り替えておく必要がある。
【００２１】
ここでは、ユーザＵ１自身の証明写真を撮影するケースを想定するため、カメラ装置３５で撮影する被写体はユーザＵ１自身であるが、必要に応じて、ユーザＵ１が、自身以外の被写体を当該カメラ装置３５で撮影してもよいことは当然である。
【００２２】
このような外観構成を有する複写機３０の内部構成は、例えば、図２に示す通りであってよい。
【００２３】
（Ａ−１−１）複写機の内部構成例
図２において、当該複写機３０は、制御部１と、操作パネル部２と、ＲＯＭ３と、ＲＡＭ４と、ＮＶＲＡＭ５と、紙搬送部６と、現像プロセス部７と、定着部８と、カウンタ９と、ページメモリ制御部１０と、ページメモリ１１と、画像処理部１２と、画像データバス１３と、レーザ装置制御部１４と、スキャナ部１５と、カメラ制御部１６と、トリミング処理部１８とを備えている。
【００２４】
このうち制御部１は、ハードウエア的には当該複写機３０の各構成要素２〜１８を制御するメインＣＰＵ（中央処理装置）に対応し、ソフトウエア的にはＯＳ（オペレーティングシステム）などのプログラムに対応する。一般的に複写機のＯＳは、リアルタイム性を重視しリアルタイム処理を行わせることが可能なリアルタイムＯＳであるので、この複写機１のＯＳであるＯＳ１も、リアルタイムＯＳである。リアルタイムＯＳは、処理時間（応答時間）の最悪値が予めわかっており、なおかつ、その最悪値が十分に短いため、ある処理の完了を遅らせる要因となり得る様々な事象が起きた場合でも、その処理がその最悪値以内に完了するように制御し、また、そのような制御を行うことが可能な仕組みを備えている。さらに、このようなリアルタイム性を実現するため、複写機３０内の各種資源は、リアルタイム処理に対応できるものとなっている。
【００２５】
複写機３０内の各種資源には、例えば、前記画像処理部１２などのハードウエア資源のほか、ＯＳ１以外の各種プログラム（図示せず）などのソフトウエア資源も含まれる。
【００２６】
前記操作パネル部２は、前記オペパネユニット３２上に設けられたＬＣＤ３４や操作ボタン３３に対応する部分で、ユーザＵ１が制御部１に対して指示を与えるために利用する。
【００２７】
ＲＯＭ（リードオンリメモリ）３は、制御プログラム等を格納する部分である。制御プログラムは、前記ＯＳ１に対応するので、前記ＯＳ１は物理的に当該ＲＯＭ３に位置することになる。ＲＡＭ（ランダムアクセスメモリ）４は、制御部１や画像処理装置１２などが各種処理を実行する過程で発生する作業用のデータなどを格納するための記憶領域を提供する。複写機３０が稼動しているとき、必要に応じて、ＯＳ１も前記ＲＯＭ３から読み出されて当該ＲＡＭ４に常駐するものであってよい。
【００２８】
ＮＶＲＡＭ（Ｎｏｎ  Ｖｏｌａｔｉｌｅ  ＲＡＭ）５は、バッテリによるバックアップで不揮発性を実現したメモリである。内容が変更され、なおかつ、複写機３０に対する電力の供給が停止されたときにも記憶を維持しておく必要のあるデータは、このＮＶＲＡＭ５に格納しておく。ＮＶＲＡＭ５は、必要に応じて、ＥＥＰＲＯＭ（図示せず）や、ハードディスク１７などで置換することが可能である。
【００２９】
紙搬送部６は、複写機３０で使用する所定の印刷用紙（例えば、ＰＡ１）の搬送を実行する部分である。前記ユーザＵ１の証明写真は、この印刷用紙ＰＡ１に印刷されて出力される。
【００３０】
現像プロセス部７は、帯電、現像、転写によって、ユーザＵ１の証明写真に関する電子的な現像を実現する部分で、定着部８は所定の定着器を制御して現像された画像を定着させる部分である。
【００３１】
カウンタ９は計数機能を有する部分である。例えば、証明写真の場合、連続して所定の撮影回数Ｎ（例えば、Ｎ＝４）だけ撮影を行い、同じ被写体（ここでは、Ｕ１）を撮影した写真が１つの媒体上にＮ回印刷出力されるのが普通であるが、カウンタ９は、当該撮影回数Ｎのカウントなどに利用される。
【００３２】
前記レーザ装置制御部１４は、図示しないレーザ装置中のレーザダイオードやポリゴンモータを制御する部分で、スキャナ部１５は光センサを用いて原稿ＰＡ２上の図形や文字などの画像情報をディジタルの画像データとして入力する部分である。また、画像処理部１２は、画像データの処理（例えば、画像の圧縮、伸長、拡大、縮小、回転、トリミングなど）を行う部分である。
【００３３】
複写機３０が本来の複写機能を発揮する場合、原稿ＰＡ２上の画像を前記レーザダイオードから放射されたレーザ光で照射し、原稿ＰＡ２の表面で反射されたレーザ光をスキャナ部１５の光センサで検出することによって、スキャナ部１５から前記画像データが出力される。そして、当該画像データを画像データバス１３経由で受け取った画像処理部１２は、当該画像データの圧縮を行い、圧縮した結果を、ページメモリ１１に格納する。
【００３４】
ページメモリ１１は、１ページごとに（原稿１枚ごとに）、画像データを格納する部分である。格納する画像データは、上述したように、圧縮後のものであってよい。当該ページメモリ１１に対する画像データの書き込みや読み出しを制御するのが、ページメモリ制御部１０である。
【００３５】
なお、トリミング処理部１８は、前記トリミングを行うための部分であり、本来は画像処理部１２の一部として実装され得るが、図２では、画像処理部１２から抜き出して図示している。トリミング処理部１８が提供するトリミングの機能は、必ずしもすべての機種の複写機が備えているわけではないが、備えている複写機も少なくない。
【００３６】
本実施形態において、トリミング機能は、カメラ装置３５による撮影で得られた画像データを編集し、証明写真の形式に適合するように、背景画像を除去する際などに必要になる。
【００３７】
また、前記レーザ装置制御部１４は、編集後の証明写真を印刷用紙ＰＡ１に印刷出力する際に必要になる。
【００３８】
ハードディスク１７は、大容量の記憶資源であり、上述した各種メモリ（例えば、１１）の記憶容量が不足した場合などには、ハードディスク１７に記憶することによってその不足分を補うこともできる。また、ＲＡＭ４などの記憶内容は、ハードディスク１７に格納しておくことで、複写機３０に対する電力供給が停止されたときにも保存することが可能である。
【００３９】
カメラ制御部１６は、カメラ装置３５を制御する部分である。カメラ装置２５が撮影を行い、その撮影によって得られた画像データをカメラ制御部１６経由で画像データバス１３や画像処理部１２などに供給することも、当該カメラ制御部１６からの制御に応じて行われる。
【００４０】
以上の説明から明らかなように、図２に示した構成要素１〜１８のうち、証明写真に関する処理で利用されることがあり得ないものは、基本的に、スキャナ部１５だけであり、その他の構成要素１〜１４，１６、１８は、本来の複写機能だけでなく、証明写真作成機能でも活用される。
【００４１】
以下、上記のような構成を有する本実施形態の動作について、図３のフローチャートを参照しながら説明する。
【００４２】
図３のフローチャートは、証明写真を印刷出力するために複写機３０内で行われる動作を示すもので、Ｓ１０〜Ｓ１７の各ステップを備えている。
【００４３】
（Ａ−２）実施形態の動作
ユーザＵ１がオペパネユニット３２上のＬＣＤ３４や操作ボタン３３を操作して複写機３０の動作モードを複写機モードから証明写真モードに切り替えると、ＬＣＤ３４には、その時点でカメラ装置３５が捕らえている画像が表示される。このため、ユーザＵ１は、その画像を目視しながらカメラ装置３５のユーザＵ１に対する角度や距離などを調節することができる。
【００４４】
調節が完了すると、ユーザＵ１はＬＣＤ３４または操作ボタン３３を操作することにより、制御部１に対し、その時点でＬＣＤ３４に表示されている画像を取り込むように指示する。これに応じて、カメラ制御部１６がカメラ装置３５に撮影を実行させ、その時点でＬＣＤ３４に表示されている画像に対応する画像データが、カメラ制御部１６と画像データバス１３を経由して画像処理部１２に供給される。すなわち、その画像が、証明写真用の画像として取り込まれる（Ｓ１０）。
【００４５】
ただし、多くの場合、複写機３０が設置されている周辺の環境は通常のオフィスなどであり、必ずしも証明写真の背景として適したものではないから、証明写真には不要な多くの物体がユーザＵ１の背景に写ってしまう。このような場合には、前記トリミング処理部１８の機能を用いて、背景に写った不要な物体の画像をトリミングすることが必要になる（Ｓ１１）。もちろん、背景に不要な物体が写っておらずトリミングの必要がないケースでは、当該ステップＳ１１は省略可能である。
【００４６】
このようなトリミングも、広い意味での画像の編集に属する操作であるが、次のステップＳ１２では、文字の挿入などによる画像の編集が行われる。当該ステップＳ１２も、文字の挿入などが必要ない場合には省略可能である。
この間、出来上がりイメージがＬＣＤ３４に表示されている（Ｓ１３）ので、ステップＳ１１および／またはＳ１２を実行する場合、ユーザＵ１は、ＬＣＤ３４に表示された出来上がりイメージを目視することで、個々の操作の影響を確認しながら、編集作業を進めることができる。
【００４７】
編集作業の結果がユーザＵ１の満足できるものになるまで、ステップＳ１１〜Ｓ１４によって構成されるループが繰り返し実行され得る。なお、ステップＳ１１〜Ｓ１３の順番が必ずしも図示した通りである必要はないことは、処理の性質上、当然である。例えば、ステップＳ１３の出来上がりイメージの表示は、ステップＳ１２のあとで行うのではなく、ステップＳ１１，Ｓ１２が行われる間、常時、実行するものであってもよいし、ステップＳ１１よりもＳ１２を先に実行してもよい。
【００４８】
また、ユーザＵ１が必要性を認めたとき、編集作業の途中で、ステップＳ１０の画像の取り込みをやり直すことができるようにしてもよい。
トリミングも含む編集作業の結果がユーザＵ１の満足できるものであることを、操作ボタン３３やＬＣＤ３５を操作することによってユーザＵ１が複写機３０に伝えると、ステップＳ１４はＹｅｓ側に分岐して、最終的な編集作業の結果を印刷用紙ＰＡ１に印刷出力することになる。最終的な編集作業の結果は１つの画像（１つの写真）である必要はなく、被写体であるユーザＵ１の角度が微妙に異なる複数の写真や、編集作業によって挿入した文字などが異なる複数の写真が含まれていてよい。この場合、写真の数と同数の異なる画像データが得られることになる。
【００４９】
ステップＳ１４のＹｅｓ側の分岐につづき、前記印刷用紙ＰＡ１に印刷出力する証明写真のサイズを決定する。このとき、前記画像処理部１２による拡大や縮小が行われ得る（Ｓ１５）。
【００５０】
そして、１枚の印刷用紙ＰＡ１にＮ個の証明写真を印刷するため、１ページのなかにＮ個の画像データを配置する処理、すなわち、Ｎｉｎ１処理が実行され（Ｓ１６）、このＮｉｎ１処理の結果にしたがって、印刷用紙ＰＡ１に対する画像データの印刷出力が行われる（Ｓ１７）。この印刷では、前記レーザ装置制御部１４や紙搬送部６が動作することになる。
【００５１】
印刷出力が行われたあと、ユーザＵ１は、前記操作ボタン３３やＬＣＤ３４を操作することにより、動作モードを証明写真モードから、もとの複写機モードへ復帰させる。
【００５２】
上述したように、ＯＳ１や画像処理部１２をはじめ、複写機３０内の各種資源はリアルタイム処理に対応できるものであるため、複写機３０を利用するユーザＵ１は、従来の証明写真作成装置に比較して、はるかに短時間で、証明写真の印刷出力結果を取得することが可能である。
【００５３】
なお、ここでは、証明写真を印刷出力する場合について説明したが、必要に応じて、ユーザＵ１が、複写機３０本来の複写機能を利用することができることは当然である。
【００５４】
（Ａ−２）実施形態の効果
本実施形態によれば、複写機（３０）を用いてユーザ（Ｕ１）が自身の証明写真を印刷出力することができる。
【００５５】
また、このような証明写真の印刷出力は、複写機（３０）が搭載している各種の資源（例えば、６，７，１２，１４など）を有効に活用して実現されるものであるため、効率が高い。
【００５６】
この効率の高さには、同じ資源を、複写機能を実現するために利用するだけでなく、証明写真作成機能を実現するためにも利用できるという意味で、資源の利用効率が高いという意味のほか、リアルタイム処理に対応できる複写機の各種資源を活用して証明写真の印刷出力を行うために、より短時間で証明写真の印刷出力が得られ、時間効率が高いという意味も含まれている。
【００５７】
（Ｂ）他の実施形態
上記実施形態では証明写真を印刷出力したが、印刷出力する写真は、証明写真でなくてもよいことは当然である。
【００５８】
また、前記ＬＣＤ３４を、液晶以外の方法で画面表示を行う表示装置に置き換えてもよいことは当然である。
【００５９】
なお、上記実施形態では、動作モードの切り替えをユーザＵ１の明示的な操作によって行うものとしたが、自動的に動作モードが切り替わる構成とすることも可能である。例えば、証明写真の印刷出力が完了したときに、自動的に証明写真モードから複写機モードに復帰する構成とすることも望ましい。
【００６０】
また、本発明は複写機以外にも適用することが可能である。
【００６１】
例えば、プリンタやファクシミリ端末にも適用することができ、プリンタ、ファクシミリ端末、複写機のうち少なくともいずれか２つの機能を搭載した情報処理装置である複合機にも適用することが可能である。プリンタ、ファクシミリ端末、複合機などは、前記複写機と同様、一般的にリアルタイム性を重視した構成となっているため、これらにカメラ装置を付加して印刷出力を行うようにすることも有効である。
【００６２】
以上の説明においては、主としてハードウエア的に本発明を実現したが、本発明は、ソフトウエア的に実現することも可能である。
【００６３】
【発明の効果】
以上に説明したように、本発明によれば、既存の画像供給源から供給される画像データに応じた画像を画像形成媒体上に形成するためのリアルタイム画像処理装置または方法を利用して、被写体の画像を印刷出力することができる。
【００６４】
また、このとき、リアルタイム画像処理部の機能を有効に活用することができるため、効率的である。
【図面の簡単な説明】
【図１】実施形態に係る複写機の外観構成例を示す斜視図である。
【図２】実施形態に係る複写機の内部構成例を示す概略である。
【図３】実施形態の動作例を示すフローチャートである。
【符号の説明】
１…制御部、２…操作パネル部、７…現像プロセス部、８…定着部、９…カウンタ、１０…ページメモリ制御部、１１…ページメモリ、１２…画像処理部、１３…画像データバス、１６…カメラ制御部、１８…トリミング処理部、３０…複写機、３１…複写機本体、３２…オペパネユニット、３３…操作ボタン、３４…タッチパネル付きＬＣＤ、３５…カメラ装置、ＯＳ１…オペレーティングシステム、ＰＡ１…印刷用紙、ＰＡ２…原稿。
【図１】
2005020260.tif 000003
【図２】
2005020260.tif 000004
【図３】
2005020260.tif 000005